(57)【要約】【課題】電力による駆動が不要で、且つ、使用者が自分で全身のいずれかの部位に対しても容易につぼ押したりマッサージできるマッサージ器を提供する。【解決手段】両端面１２，１２を有し且つ全体が凹凸の両側１３，１１を有する弧状に湾曲している横断面三角形の長棒体であって、前記三角形は、一辺が前記弧状の凸側１１にあり、該一辺の対角が前記弧状の凹側１３にある。【選択図】図１
0003104769.tif 000002
【実用新案登録請求の範囲】
【請求項１】
両端面を有し且つ全体が凹凸の両側を有する弧状に湾曲している横断面三角形の長棒体であって、前記三角形は、一辺が前記弧状の凸側にあり、該一辺の対角が前記弧状の凹側にあることを特徴とするマッサージ器。
【請求項２】
前記三角形は二等辺三角形であり、前記対角は前記二等辺の挟角であり、前記一辺は前記対角の対辺であり、また、前記一辺の中点の連線と前記対角の連線は同一の平面にあることを特徴とする請求項１に記載のマッサージ器。
【請求項３】
前記三角形の各角をすべて面取りしたことを特徴とする請求項１または請求項２に記載のマッサージ器。
【請求項４】
前記両端面はそれぞれ平坦面であって、前記弧状長棒体の凸側の接線と鈍角になり、凹側の接線と鋭角になっていることを特徴とする請求項１乃至請求項３のいずれか１項に記載のマッサージ器。
【請求項５】
前記両端面の鈍角及び鋭角は、角度が互いに異なったことを特徴とする請求項４に記載のマッサージ器。
【考案の詳細な説明】
【技術分野】
【０００１】
本考案は、マッサージ器に関し、特に、電力が不要で、且つ使用者が自らつぼなどをマッサージすることができるマッサージ器に関する。
【背景技術】
【０００２】
近年、社会環境の変化や生活スタイルの変化に伴い、現代人は様々なストレスを抱え、さらに労働時間の延長や運動不足などにより特定部位に痛み、凝りなどを引き起こすことがよくあるので、常に自我按摩器具によりマッサージを行い、筋肉の緊張を緩めなければならない人が増えている。前記自我按摩器具としては、外部電源から入力される交流電力または電池の電力によって振動モータを駆動させることにより、振動させてマッサージする電動マッサージ器の使用が一般である。しかし、この電動マッサージ器は、電流の漏れや電池の交換、または長時間使用による発熱など問題があるうえ、特定の経穴を効果的に刺激することが困難であるので、使用時に靴を隔て痒みを掻く感じがする。また、前記自我按摩器具としては、電力不要なつぼ押し棒が市販されている。このつぼ押し棒の使用においては、その一端を握ってその他端を特定の経穴に対して押すことができ、それにより、指圧の効果を得ることができる。しかしながら、前記つぼ押し棒は、少なくとも一端がやや細くなる略直線的な棒状に形成されているので、使用者がそれで自分の肩、腰、背中など背後のつぼを精確に押すことができないのみならず、つぼ押しとして使用される場合を除き、応用方式があまり変わらなく、変化に乏しいという欠点がある。
【考案の開示】
【考案が解決しようとする課題】
【０００３】
上記に鑑みて、本考案の目的は、電力による駆動が不要で、且つ、使用者が自分で全身のいずれかの部位に対しても容易につぼ押したりマッサージしたりすることができるマッサージ器を提供しようとする。
【課題を解決するための手段】
【０００４】
前記目的を達成するために、本考案は、両端面を有し且つ全体が凹凸の両側を有する弧状に湾曲している横断面三角形の長棒体であって、前記三角形は、一辺が前記弧状の凸側にあり、該一辺の対角が前記弧状の凹側にあることを特徴とするマッサージ器を提供するものである。
【考案の効果】
【０００５】
この構造によるマッサージ器は、横断面三角形の長棒体からなるため、前記三角形端面の前記対角によって体の前半身の特定の経穴を押して刺激することができるのみならず、その全体が凹凸の両側を有する弧状に湾曲しているため、使用者がその一端を握って他端で自分の背後のつぼを押すこともできる。そのうえ、長棒体の凹側または凸側の両長辺を利用して、経絡に沿って擦って皮膚を充血させることにより、体内の炎症を軽くする「刮疹（グワサー）」という漢方式の治療をすることもできる。
【考案を実施するための最良の形態】
【０００６】
以下、本考案の好ましい実施形態を詳しく説明する。
【０００７】
まず、図１を参照しながら本考案のマッサージ器の実施形態を説明する。この実施形態のマッサージ器は、両端面１２，１２を有し且つ全体が凹凸の両側１３，１１を有する弧状に湾曲している横断面三角形の長棒体である。図示のように、前記三角形は、一辺が前記弧状の凸側１１にあるので、該凸側１１は無数の三角形横断面の一辺が連続して弧状の平面になっている。そして、該一辺の対角が前記弧状の凹側１３にあるので、該凹側１３は無数の三角形横断面の対角が連続して弧状の稜線になっている。また、この実施形態において、前記三角形は二等辺三角形であり、即ち、前記対角は前記二等辺の挟角であり、前記一辺は前記対角の対辺であり、また、すべての、三角形横断面の前記一辺の中点連線と前記対角の連線（即ち前記稜線）は同一の平面にある。言い換えれば、前記凸側１１の両長辺１４，１４は無数の三角形横断面における前記二等辺それぞれの対角から連続して弧状の稜線になっている。そして、前記三角形の各角はすべて面取りされているので、使用者が前記三角形の鋭い角に傷つけられることを避けることができる。そして、その棒体形状は横断面三角形になっているので、手のひらで握持するのに便利である。また、この実施形態において、前記両端面１２，１２はそれぞれ平坦面であって前記弧状長棒体の凸側１１の接線と鈍角になり、凹側１３の接線と鋭角になっており、勿論、前記両端面の、特に鋭角の方の角度が互いに異なるように形成されてもよいのは言うまでもない。前記鋭角となった部分は本マッサージ器の長棒体両端の最も突出していて、つぼを押すための部分であり、以下に押し凸部１２１，１２１と称す。前記のように両端面１２，１２の鋭角が異なるように形成されれば、前記一対の押し凸部１２１，１２１を介してつぼに加え得る圧力を異なるようにできるので、異なるマサージ効果が果たせ、必要に応じ、交換使用することができる。
【０００８】
次に、図２から図４を参照して本考案のマッサージ器の使用時の状態を説明する。使用者は自ら背後のつぼを押そうとする場合、図２及び図３に示すように、該マッサージ器の一端近くを握ってその他端における押し凸部１２１をうなじや上背、あるいは腰など凝り、痛みという感じがする部位のつぼに当ててから、やや引くと前記一端を経由して加えた圧力が前記押し凸部１２１に集中してつぼを刺激したりマッサージしたりすることができる。
【０００９】
「刮疹（グワサー）」というのは、筋肉の緊張、血行不良、病気になった時に、身体に油を付けて板などで経絡に沿って擦って皮下出血させることにより、病症を緩解させる中国の民間療法の一つである。一般には、使用者が自分のうなじ辺りの経絡に対して刮疹することが困難である。しかし、本考案のマッサージ器は弧状に湾曲しているため、図４に示すように、使用者が両手で該マッサージ器の両端を握って、その凹側１３をうなじ辺りに当てて経絡に沿って自ら刮疹することができる。また、上肢、下肢など部位の経絡に対して自ら刮疹しようとする時には、図５に示すように、使用者が片手で該マッサージ器の一端または両手でその両端を握って前記凸側１１の前記両長辺１４，１４の一つを使用して擦ることができる。
【００１０】
上記実施形態から分かるように、本考案のマッサージ器では、全体が凹凸の両側を有する弧状に湾曲している横断面三角形の特殊な外形を利用して、使用者はその両端の押し凸部によって全身、特に背後の経穴をマッサージすることができるうえ、その凹側または凸側の両長辺によって、自ら全身の経絡に対して刮疹することができる。
【００１１】
以上に説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００１２】
【図１】本考案のマッサージ器の好ましい実施形態の斜視図
【図２】本考案のマッサージ器を利用してマッサージする時の説明図
【図３】本考案のマッサージ器を利用してマッサージする時の他の説明図
【図４】本考案のマッサージ器を利用してマッサージする時の他の説明図
【図５】本考案のマッサージ器を利用してマッサージする時の他の説明図
【符号の説明】
【００１３】
１１    凸側
１２    端面
１２１  押し凸部
１３    凹側
【図１】
0003104769.tif 000003
【図２】
0003104769.tif 000004
【図３】
0003104769.tif 000005
【図４】
0003104769.tif 000006
【図５】
0003104769.tif 000007